(57)【要約】【課題】簡単な構成により、外来電磁波による雑音発生と液滴浸入による故障発生とをともに防止できるようにする。【解決手段】上面側が開放された扁平なベース部１０と、ベース部１０の上面側を覆う多数の開口を有する板材からなるマイクカバー２０とを含むマイクロホンケース１を備え、マイクロホンケース１内にマイクホンユニット３１が収納されているバウンダリーマイクロホンにおいて、マイクカバー２０の内面のほぼ全域にわたって、通気性および導電性を有するとともに撥水処理が施された布材からなる内装カバー４０を設ける。【選択図】図２
2008288933.tif 000002
【特許請求の範囲】
【請求項１】
上面側が開放された扁平なベース部と、上記ベース部の上面側を覆う多数の開口を有する板材からなるマイクカバーとを含むマイクロホンケースを備え、上記マイクロホンケース内にマイクホンユニットが収納されているバウンダリーマイクロホンにおいて、
上記マイクカバーの内面のほぼ全域にわたって、通気性および導電性を有するとともに撥水処理が施された布材からなる内装カバーが設けられていることを特徴とするバウンダリーマイクロホン。
【請求項２】
上記内装カバーの周縁が、上記ベース部に対する上記マイクカバーの突き合わせ端面にまで延ばされていることを特徴とする請求項１に記載のバウンダリーマイクロホン。
【発明の詳細な説明】
【技術分野】
【０００１】
本発明は、バウンダリーマイクロホンに関し、さらに詳しく言えば、外来電磁波による雑音を抑制し得、また、耐水性も良好であるバウンダリーマイクロホンに関するものである。
【背景技術】
【０００２】
バウンダリーマイクロホンは、例えばＴＶスタジオや会議の席などにおいて机や床面に設置して使用されることからサーフェイスマウントマイクロホン（面上収音式マイクロホン）とも呼ばれており、その存在が目立たないようにするため、高さを抑えた扁平なマイクロホンケースが用いられる。
【０００３】
すなわち、バウンダリーマイクロホンのマイクロホンケースは、上面側が開放された金属製の扁平なベース部と、ベース部の上面を覆う多数の開口（音波導入孔）を有する金属板（パンチングプレート）よりなるマイクカバーとにより構成され、その内部にマイクロホンユニットが収納されている。通常、コンデンサマイクロホンユニットが用いられる。
【０００４】
ところで、近年の携帯電話機の普及に伴い、バウンダリーマイクロホンの近傍に携帯電話機が置かれた状態で通信が行われると、その際発生する電磁波による高周波電流がマイクロホンケース内に入り込み、これがマイクロホンユニット内のインピーダンス変換器にて検波され雑音が発生することがある。
【０００５】
ちなみに、携帯電話から数ｃｍ〜数１０ｃｍ程度の範囲内では、商用電波により市中で生じている電界強度の数万倍に達する電界が生ずることが知られている。
【０００６】
そこで、特許文献１には、ベース部とマイクカバーとの突き合わせ端面間に、弾性と導電性とを併せ持つ導電布よりなるガスケットを介在させてマイクロホンケースのシールドを確実にして、外来電磁波による雑音の発生を防止することが提案されている。
【０００７】
また、別の問題として、会議場などでは往々にして飲み物が机上に置かれるため、バウンダリーマイクロホンは、その飲み物のこぼれによる被害を受ける機会が他のマイクロホンに比べて多い。
【０００８】
浴びる液量が少ない場合にはさほどの被害はないが、多量に浴びるとマイクロホンケース内に液滴が浸入し、故障に至ることもある。
【０００９】
この問題に対処するため、特許文献２には、マイクカバーの少なくとも外面の全面にわたって静電植毛によりパイルを植設するとともに、かつ、パイルに撥水処理を施すことが提案されている。
【００１０】
【特許文献１】特開２００５−３３３１８０号公報
【特許文献２】特開２００６−１０１３１４号公報
【発明の開示】
【発明が解決しようとする課題】
【００１１】
外来電磁波による雑音発生と、液滴浸入による故障発生とをともに防止するには、特許文献１に記載の技術と、特許文献２に記載の技術とを適用すればよいのであるが、製造工程が増えるため好ましくないし、また、特許文献２で行う静電植毛はコストが高いため、特定の高価なバウンダリーマイクロホンにしか適用することができない。
【００１２】
したがって、本発明の課題は、簡単な構成により、外来電磁波による雑音発生と、液滴浸入による故障発生とをともに防止できるようにしたバウンダリーマイクロホンを提供することにある。
【課題を解決するための手段】
【００１３】
上記課題を解決するため、本発明は、請求項１に記載されているように、上面側が開放された扁平なベース部と、上記ベース部の上面側を覆う多数の開口を有する板材からなるマイクカバーとを含むマイクロホンケースを備え、上記マイクロホンケース内にマイクホンユニットが収納されているバウンダリーマイクロホンにおいて、上記マイクカバーの内面のほぼ全域にわたって、通気性および導電性を有するとともに撥水処理が施された布材からなる内装カバーが設けられていることを特徴としている。
【００１４】
本発明の好ましい態様として、請求項２に記載されているように、上記内装カバーの周縁が、上記ベース部に対する上記マイクカバーの突き合わせ端面にまで延ばされていることが好ましい。
【発明の効果】
【００１５】
本発明によれば、マイクカバーの内面のほぼ全域にわたって、通気性および導電性を有するとともに撥水処理が施された布材からなる内装カバーを設けるという簡単な構成により、外来電磁波による雑音発生と、液滴浸入による故障発生とをともに防止することができる。
【００１６】
また、内装カバーの周縁を、ベース部に対するマイクカバーの突き合わせ端面にまで延ばすことにより、マイクロホンケースのシールド性をより確実なものとすることができる。
【発明を実施するための最良の形態】
【００１７】
次に、図１および図２により、本発明の実施形態を説明するが、本発明はこれに限定されるものでない。図１は本発明によるバウンダリーマイクロホンの一例を示す断面図、図２は図１の分解図である。
【００１８】
図１および図２に示すように、このバウンダリーマイクロホンは、その存在が目立たないようにするため、高さを抑えた扁平なマイクロホンケース１を備えている。
【００１９】
すなわち、マイクロホンケース１は、上面側が開放された金属製の扁平なベース部１０と、その上面を覆うようにしてベース部１０に取り付けられる多数の開口（音波導入孔）を有する金属製のマイクカバー２０の２つの部品から構成される。
【００２０】
通常、ベース部１０は亜鉛ダイカストなどの鋳造により形成されるが、これ以外に金属のプレス成型品が用いられてもよい。また、マイクカバー２０には鉄製などのパンチングプレート（多孔板）が用いられるが、パンチングプレートに代えて金網体が用いられてもよい。
【００２１】
マイクカバー２０は、取り外しできるようにベース部１０にネジ止めされる。この例では、見栄え上（意匠上）の観点から、１つの固定ねじ２２とベース部１０側に突設された１つのボス１１とによる１点止めとしているが、多点止めとしてもよい。また、場合によっては、ネジ止め以外の方法（例えば嵌合手段など）でマイクカバー２０をベース部１０に固定してもよい。
【００２２】
ベース部１０とマイクカバー２０とにより形成されるマイクロホンケース１のシールド空間内に、回路基板３０とマイクロホンユニット３１とが収納される。マイクロホンユニット３１は回路基板３０に実装された状態で収納されてもよいし、回路基板３０とは別にして収納されてもよい。
【００２３】
バウンダリーマイクロホンの場合、通常、マイクロホンユニット３１にはインピーダンス変換器を有するコンデンサマイクロホンユニットが用いられる。図示しないが、回路基板３０には、音質調整回路や音声出力回路などが設けられている。
【００２４】
また、回路基板３０にはマイクコード３２の一端が接続され、マイクコード３２の他端側はコードブッシュ３３を介してベース部１０から引き出されている。なお、ワイヤレスの場合には、マイクロホンケース１に送信手段としての例えば発光ダイオードが設けられる。
【００２５】
本発明においては、携帯電話機などから放射される外来電磁波による雑音発生と、液滴浸入による故障発生とを防止するため、マイクカバー２０の内面側に、通気性および導電性を有するとともに撥水処理が施された布材からなる内装カバー４０が配置される。
【００２６】
通気性および導電性を有する布材としては、例えばセーレン社製の導電布Ｓｕｉ−７８−５０５０Ｔ（品番）を例示でき、この導電布に例えばフッ素コーティング処理を施すことにより、上記内装カバー４０を得ることができる。
【００２７】
内装カバー４０は、マイクカバー２０の内面のほぼ全域にわたって配置されるが、好ましくは、図１，図２に示すように、内装カバー４０の周縁４０ａがベース部１０に対するマイクカバー２０の突き合わせ端面２０ａにまで延ばされているとよい。
【００２８】
これによれば、内装カバー４０の導電性により外来電磁波が遮蔽され、回路基板３０およびマイクロホンユニット３１が外来電磁波に晒されることがない。
【００２９】
また、内装カバー４０の周縁４０ａがマイクカバー２０の端面２０ａとベース部１０との間に挟み込まれることにより、マイクロホンケース１のシールド性がより確実になり、外来電磁波による高周波電流のマイクロホンケース１内への侵入が防止される。
【００３０】
また、内装カバー４０が撥水性を有していることにより、バウンダリーマイクロホンに液滴が浴びせられたとしても、その液滴が回路基板３０およびマイクロホンユニット３１にかけられることがない。
【００３１】
本発明は、マイクカバー２０の内面に内装カバー４０を取り付けるだけでよいため、既存のバウンダリーマイクロホンにも適用することができる。
【図面の簡単な説明】
【００３２】
【図１】本発明によるバウンダリーマイクロホンの一例を示す断面図。
【図２】図１の分解図。
【符号の説明】
【００３３】
１   マイクロホンケース
１０  ベース部
１１  ボス
２０  マイクカバー
２０ａ  端面
２２  雄ネジ
３０  回路基板
３１  マイクロホンユニット
３２  マイクコード
３３  コードブッシュ    
４０  内装カバー
【図１】
2008288933.tif 000003
【図２】
2008288933.tif 000004